(57)【要約】【課題】原稿を読み取って複製を出力する画像処理装置において、複数部の複製を高速に丁合できる画像処理装置を提供する。【解決手段】原稿の画像イメージを読み取る読取部３と、読み取った画像イメージの画像データをページ単位で記憶する画像記憶部８と、画像記憶部８に記憶された画像イメージをページ単位で取り出して出力する出力部７と、出力部７により取り出すページの順序及び出力部７の出力部数を入力する入力部５とを備え、出力部７により取り出す画像イメージの順序に応じて画像記憶部８に記憶された画像データを並べ替えるようにした。【選択図】      図２
2004235914.tif 000002
【特許請求の範囲】
【請求項１】
原稿の画像イメージを読み取る読取部と、読み取った画像イメージの画像データをページ単位で記憶する画像記憶部と、前記画像記憶部に記憶された画像データをページ単位で取り出して出力する出力部と、前記出力部により取り出すページの順序及び前記出力部の出力部数を入力する入力部とを備え、前記出力部により取り出すページの順序に応じて前記画像記憶部に記憶された画像データを並べ替えることを特徴とする画像処理装置。
【請求項２】
前記画像記憶部がＨＤＤから成ることを特徴とする請求項１に記載の画像処理装置。
【請求項３】
前記出力部の出力部数が所定部数よりも少ないときに前記画像記憶部に記憶された画像データの並べ替えを行わないことを特徴とする請求項１または請求項２に記載の画像処理装置。
【請求項４】
原稿のページ数に応じて前記所定部数を可変したことを特徴とする請求項３に記載の画像処理装置。
【発明の詳細な説明】
【０００１】
【発明の属する技術分野】
本発明は、原稿の画像イメージを読み取って印字等の出力を行う画像処理装置に関する。
【０００２】
【従来の技術】
原稿の画像イメージを読み取って出力する従来の画像処理装置は特許文献１に開示されている。この画像処理装置は原稿の画像イメージを読取部で読み取って、画像イメージをページ単位で画像記憶部に記憶する。画像記憶部に記憶された画像イメージのデータはページ単位で取り出され、出力部から出力することにより原稿の複製を作成する。
【０００３】
また、出力するページの順序を入力部によって任意にユーザ指定することができるようになっている。従って、指定された順にページ単位で画像記憶部から画像イメージのデータを取り出して出力することができる。これにより、例えば読み取った画像イメージの最後のページから順にデータを取り出して出力し、最初のページを出力すると最後のページに戻って出力することにより、複数部の複製の丁合をソータを設けることなく行うことができる。
【０００４】
【特許文献１】
特開昭６２−４５２６８号公報（第５頁−第７頁、第１図）
【０００５】
【発明が解決しようとする課題】
上記画像記憶部は大量の画像イメージのデータを格納することができるように、高価なＲＡＭやＥＥＰＲＯＭ等のメモリは用いられず、一般に大容量で安価なＨＤＤが用いられる。しかしながら、ＨＤＤはデータアクセスを機械的に行うためデータの取り出しにアクセス時間がかかる。
【０００６】
データを書き込まれた順に取り出す場合にはＨＤＤのアクセス時間を最小限にすることができるが、任意の順にデータを取り出す場合にはアクセス時間が長くなる。このため、複数部の複製を丁合して出力する場合には時間の長いアクセスが部数の回数だけ行われ、画像処理装置の出力が遅くなる問題があった。
【０００７】
本発明は、原稿を読み取って複製を出力する画像処理装置において、複数部の複製を高速に丁合できる画像処理装置を提供することを目的とする。
【０００８】
【課題を解決するための手段】
上記目的を達成するために本発明は、原稿の画像イメージを読み取る読取部と、読み取った画像イメージの画像データをページ単位で記憶する画像記憶部と、前記画像記憶部に記憶された画像データをページ単位で取り出して出力する出力部と、前記出力部により取り出すページの順序及び前記出力部の出力部数を入力する入力部とを備え、前記出力部により取り出すページの順序に応じて前記画像記憶部に記憶された画像データを並べ替えることを特徴としている。
【０００９】
この構成によると、原稿の画像イメージを読取部で読み取って、画像イメージの画像データをページ単位で画像記憶部に記憶する。入力部によりページ単位の出力順がユーザ設定されると、設定された順に画像記憶部に記憶された画像データが並べ替えられる。そして、画像記憶部から並べ替えた画像データを先頭からページ単位で取り出し出力部から出力される。
【００１０】
また本発明は、上記構成の画像処理装置において、前記画像記憶部がＨＤＤから成ることを特徴としている。
【００１１】
また本発明は、上記構成の画像処理装置において、前記出力部の出力部数が所定部数よりも少ないときに前記画像記憶部に記憶された画像データの並べ替えを行わないことを特徴としている。
【００１２】
また本発明は、上記構成の画像処理装置において、原稿のページ数に応じて前記所定部数を可変したことを特徴としている。この構成によると、原稿のページ数が所定数よりも少ない場合は、出力部数が第１の部数よりも少ないときに記録部の画像データの並べ替えが行われない。原稿のページ数が上記所定数よりも多い場合は、出力部数が第２の部数よりも少ないときに記録部の画像データの並べ替えが行われない。
【００１３】
【発明の実施の形態】
以下に本発明の実施形態を図面を参照して説明する。図１は一実施形態の画像処理装置の構成を示すブロック図である。画像処理装置１はＣＰＵから成る制御部２により各部を制御する。制御部２には読取部３、表示部４、入力部５、ＨＤＤ６（画像記憶部）、メモリ７、出力部８が接続されている。
【００１４】
読取部３は光を出射する光源、光源の出射光を原稿の給送方向に直交する方向に走査する走査手段、原稿の反射光を受光する受光素子を有している。これにより、給送される原稿に光を照射して走査し、反射光の輝度を捉えて画素毎の輝度信号により画像イメージを作成して出力する。
【００１５】
表示部４は液晶パネル等から成り、読取部３で読み取った画像イメージの縮小画像や設定メニューを表示する。入力部５は操作パネルから成り、ユーザ操作により原稿読み取りの条件設定や出力の条件設定等を行うことができる。表示画面上を操作できるタッチパネル等により表示部４及び入力部５を一体に構成してもよい。
【００１６】
ＨＤＤ６は読取部３で読み取った画像イメージの画像データをページ単位で格納する。メモリ７はＲＯＭ及びＲＡＭから成り、ＲＯＭには画像処理装置１の動作プログラムや入力部５による設定データが格納される。また、ＲＡＭには制御部２による演算結果や一部のページの画像データが一時記憶される。出力部７はＨＤＤ６に記憶された画像データを入力部５で設定した条件により抽出して出力する。これにより、原稿の複写が行われる。
【００１７】
図２は上記構成の画像処理装置１の動作を示すフローチャートである。ステップ＃１１では入力部５により原稿を出力する部数が入力され、メモリ７に記憶される。ステップ＃１２では入力部５により原稿を出力するページの順序が入力され、メモリ７に記憶される。
【００１８】
ステップ＃１３では原稿の読取開始の操作が行われたか否かが判断され、読取開始の操作が行われるまでステップ＃１１〜＃１３を繰り返して待機する。原稿の読取開始の操作が行われるとステップ＃１４に移行し、読取部３により１枚目の原稿が読み取られる。
【００１９】
ステップ＃１５では読み取った原稿の画像データをＨＤＤ６に記憶する。図３はこの時のＨＤＤ６に記憶された画像データの状態を示す概念図であり、本来のＨＤＤ６の記録領域は環状になっている。尚、図中の数字はページ番号を表わしている。ＨＤＤ６には１ページからＮページまでの画像データが読み取った順に先頭からページ単位で並んで記録されている。
【００２０】
ステップ＃１６ではセンサ等により全ての原稿が読み取られたか否かを判断する。原稿が残っている場合はステップ＃１４に戻ってステップ＃１４〜＃１６が繰り返し行われる。全ての原稿が読み取られた場合はステップ＃１７に移行して原稿の全ページ数がメモリ７に記憶される。
【００２１】
ステップ＃１８では、ステップ＃１１で設定された出力部数が所定部数Ｂ以上か否かが判断される。出力部数が所定部数Ｂ以上の場合はステップ＃２０に移行する。出力部数が所定部数Ｂよりも少ない場合はステップ＃１９に移行する。ステップ＃１９ではＨＤＤ６に記憶された画像データをステップ＃１２で指定された出力順にページ単位で並べ替える。
【００２２】
図４はこの時のＨＤＤ６に記憶された画像データの状態を示す概念図であり、出力順が逆順に設定された場合を示している。同図に示すように、ＨＤＤ６には最終ページ（Ｎページ）を先頭にして順にページ単位で画像データが並べ替えられている。
【００２３】
ステップ＃２０ではＨＤＤ６から画像データの先頭から順にページ単位で取り出され、ステップ＃２１で出力部７により画像が出力される。ステップ＃２２の判断により全ページの出力が終了するまでステップ＃２０、＃２１が繰り返し行われる。
【００２４】
全ページの出力が終了すると、ステップ＃２３の判断によって、設定された出力部数になるまでステップ＃２０〜＃２２が繰り返される。これにより、図５に示すように矢印で示すの順に各ページが出力され、ページが逆順で丁合された出力結果を得ることができる。
【００２５】
本実施形態によると、出力するページの順序に応じてＨＤＤ６に記憶された画像データを並べ替えるので、複数部の出力を行う場合に長時間のアクセスを並べ替え時に１回行って出力時には最小限のアクセス時間にすることができる。従って、複数部の複製を高速に丁合することができる。
【００２６】
尚、ＨＤＤ６の画像データを並べ替える際には読出し時間と書き込み時間がかかる。例えば１部の出力を行う場合は出力時に１回の読出ししか行わないので画像データを並べ替えると、ＨＤＤ６の書き込み時間と並べ替えた後の出力時の読出し時間の合計だけ出力が遅くなる。このため、ステップ＃１８において、ＨＤＤ６の書き込み時間に応じて並べ替えを行わないように所定部数Ｂを決めることができる。
【００２７】
また、ページ数が多くなるとＨＤＤ６の画像データを並べ替える時間が増加する。このため、ステップ＃１７で読み取ったページ数が所定数よりも少ないときは少ない部数でも並べ替えを実行し、ページ数が多いときは並べ替えを実行する部数を多くするようにページ数に応じて所定部数Ｂを可変するとより望ましい。
【００２８】
また、本実施形態によると読み取った画像イメージの画像データを記憶する記憶装置をＨＤＤ６により構成しているが、書き換え可能なＣＤ装置、ＤＶＤ装置その他データアクセスを機械的に行う記憶装置であれば同様の効果を得ることができる。
【００２９】
【発明の効果】
本発明によると、出力するページの順序に応じて画像記憶部に記憶された画像データを並べ替えるので、複数部の出力を行う場合に長時間のアクセスを並べ替え時に１回行って出力時には最小限のアクセス時間にすることができる。従って、複数部の複製を高速に丁合することができる。
【００３０】
また本発明によると、出力部数が所定部数よりも少ないときに画像記憶部に記憶された画像データの並べ替えを行わないので、部数の少ないときの出力時間遅延を防止することができる。また、ページ数に応じて並べ替えを行わない部数を可変するので、部数の少ないときの出力時間遅延をより確実に防止することができる。
【図面の簡単な説明】
【図１】は、本発明の画像処理装置の構成を示すブロック図である。
【図２】は、本発明の画像処理装置の動作を示すフローチャートである。
【図３】は、本発明の画像処理装置の画像記憶部の画像データの格納状態を示す図である。
【図４】は、本発明の画像処理装置の画像記憶部の画像データを並べ替えた格納状態を示す図である。
【図５】は、本発明の画像処理装置による印刷順を説明する図である。
【符号の説明】
１    画像処理装置
２    制御部
３    読取部
４    表示部
５    入力部
７    出力部
８    画像記憶部
９    ソート部
【図１】
2004235914.tif 000003
【図２】
2004235914.tif 000004
【図３】
2004235914.tif 000005
【図４】
2004235914.tif 000006
【図５】
2004235914.tif 000007